(57)【特許請求の範囲】
【請求項１】
高電圧で充電されるメインコンデンサと、このメインコンデンサの両端に接続され、トリガ電圧の印加によりメインコンデンサに充電された電荷を放電してストロボ発光を行うストロボ放電管と、前記メインコンデンサに対してスロボ放電管と並列に接続され、ストロボ発光開始と連動して発生する動作電圧が与えられて動作を開始して、被写体で反射したストロボ光を受光し、この受光量が所定のレベルに達した時点でストロボ発光を停止させる調光回路とを備えたストロボ装置において、
前記調光回路は、一定以上の電圧が印加されたときにオンとなってメインコンデンサからの電荷をストロボ放電管に代わって放電する無接点スイッチと、
被写体で反射したストロボ光を受光して、受光した光強度に応じた光電電流を流す受光素子及びこの受光素子からの光電電流で充電されて、受光した反射光の光量を充電電圧に変換する第１のコンデンサを有する受光部と、
前記第１のコンデンサが所定の充電電圧に達したときに発光停止信号を発生する発光停止信号発生手段と
前記動作電圧によって充電され、前記発光停止信号に応答して放電する第２のコンデンサを有し、この第２のコンデンサの放電により前記無接点スイッチをオンとするオン電圧を発生するオン電圧発生回路と
ストロボ発光開始から所定の時間だけ前記受光部の機能を停止または低下させる機能低下手段とを備えていることを特徴とするストロボ装置。
【請求項２】
前記無接点スイッチはサイリスタであること特徴とする請求項１記載のストロボ装置。
【請求項３】
前記機能低下手段は、前記受光部と並列に接続され、抵抗を介して前記動作電圧で充電され、充電電圧を前記受光部の動作電圧として与えるコンデンサであることを特徴とする請求項１または２記載のストロボ装置。
【請求項４】
高電圧で充電されるメインコンデンサと、このメインコンデンサの両端に接続され、トリガ電圧の印加によりメインコンデンサに充電された電荷を放電してストロボ発光を行うストロボ放電管と、被写体で反射したストロボ光を受光し、この受光量が所定のレベルに達した時点でストロボ発光を停止させる調光回路とを備えたストロボ装置において、
前記調光回路は、ストロボ発光開始に連動して動作電圧を発生する動作電圧発生部と、
直列接続した機能低下用の抵抗とコンデンサとからなり、前記動作電圧発生部からの動作電圧が両端に印加される機能低下回路と、
前記機能低下用のコンデンサの端子間電圧が印加されることにより、被写体で反射したストロボ光の反射光を受光して受光した光強度に応じた光電電流を流す受光素子及びこの受光素子からの光電電流で充電されて、受光した反射光の光量を充電電圧に変換する変換用コンデンサを有する受光部と、
一定以上の電圧が印加されたときにオンとなってメインコンデンサからの電荷をストロボ放電管に代わって放電する無接点スイッチと、
直列に接続されたオン電圧発生用の抵抗とコンデンサとからなり、前記前記動作電圧発生部からの動作電圧が両端に印加されることによりオン電圧発生用の抵抗を介してコンデンサが充電され、オン電圧発生用の抵抗を介してオン電圧発生用のコンデンサが放電することにより前記無接点スイッチをオンとするためのオン電圧をオン電圧発生用の抵抗の両端に発生するオン電圧発生回路と、
前記変換用コンデンサが所定の充電電圧に達したときに、前記オン電圧発生用の抵抗を介して前記オン電圧発生用のコンデンサを放電させるスイッチ手段と、
を備えたことを特徴とするストロボ装置。
【請求項５】
前記動作電圧発生部は、メインコンデンサの端子間に直列に接続された動作電圧発生用のコンデンサ，抵抗，ツェナダイオードからなり、動作電圧発生用のコンデンサがメインコンデンサの充電とともに高電圧で充電されるとともに、ストロボ発光開始に連動してツェナダイオードに逆方向電流を流すことによってツェナダイオードの両端子間に動作電圧を発生することを特徴とする請求項４記載のストロボ装置。
【請求項６】
前記ツェナダイオードの端子間に前記オン電圧発生手段と前記機能低下回路とのそれぞれが並列に接続してあり、前記スイッチ手段は、オンとなったときに前記ツェナダイオードの端子間を機能低下用の抵抗を介して接続し、前記オン電圧発生用のコンデンサを放電させることを特徴とする請求項５記載のストロボ装置。
【発明の詳細な説明】
【０００１】
【発明の属する技術分野】
本発明は、調光機能を備えたストロボ装置に関するものである。
【０００２】
【従来の技術】
撮影レンズやシャッタ装置などの撮影機構を組み込んだユニット本体に予め未露光の写真フイルムを内蔵させたレンズ付きフイルムユニットが本出願人により製造販売されている。また、レンズ付きフイルムユニットには、夜間や室内での撮影ができるようにストロボ装置を内蔵したものもある。現在市販されているレンズ付きフイルムユニットに内蔵されたストロボ装置は、主要被写体までの撮影距離等に関係なく１回の発光時に一定のストロボ光量を照射するため、近距離で撮影した場合に、主要被写体が露光オーバーとなっていた。このため、プリント写真上において主要被写体が白く飛んでしまったり、主要被写体を適切な濃度に再現されたとしても、背景が暗くなってしまうといった不都合があった。
【０００３】
一方、一般にオートストロボと称される自動調光機能を有したストロボ装置が知られている。このオートストロボ装置では、ストロボ放電管を発光させると同時に、被写体から反射されてくる光を受光素子で受光し、得られる光電電流を積分する。そして、積分量が所定レベルに達したときに、サイリスタ等の無接点スイッチを動作させて、ストロボ放電管でのメインコンデンサの放電を阻止しストロボ放電管の発光を停止する。このようにして適切な露光量が得られるようにしてストロボ光の発光等量を調節している。
【０００４】
上記のようなオートストロボ装置において、他のストロボ装置からのストロボ光等による調光回路の誤作動を防止するものが特公昭５２−４７３２７号公報により知られている。図５に特公昭５２−４７３２７号公報のストロボ装置の回路を示す。このストロボ装置では、メインコンデンサ８０とともに、調光回路８１内のコンデンサ８２が電源回路８３によって充電される。トリガ回路８４よりトリガ電圧がストロボ放電管８５に与えられると、メインコンデンサ８０がストロボ放電管８５を通して放電し、これによりストロボ放電管８５がストロボ光を放出する。
【０００５】
ストロボ発光の開始と同時に、コンデンサ８２は、ストロボ放電管８５，ツェナダイオード８６，抵抗８７を通して放電を開始し、このときにツェナダイオード８６の両端子間に発生する電圧を動作電圧として調光回路８１が動作を開始して、フォトダイオード８８による受光が開始される。そして、フォトダイオード８８によって受光された被写体からの反射光の光量に応じた電荷がコンデンサ８９に蓄積され、このコンデンサ８９の充電電圧がある一定の大きさに達すると、ＵＪＴ９０がＯＮとなる。ＵＪＴ９０がＯＮとなると、これに接続されたコンデンサ９１が抵抗９２を介して放電し、このときに抵抗９２の端子間に発生する電圧がサイリスタ９３のゲート電圧として与えられる。これにより、サイリスタ９３がターンオンし、メインコンデンサ８０がサイリスタ９３を通して放電するようになり、ストロボ発光が停止される。
【０００６】
このストロボ装置によれば、ストロボ発光開始と同時に調光回路８１が機能するため、例えば他のストロボ装置からの光を受光してサイリスタ９３がターンオンされて、メインコンデンサ８０を無駄に放電させてしまうといった誤作動を防止することができる。
【０００７】
【発明が解決しようとする課題】
ところで、上記のように構成されたストロボ装置では、例えば近距離撮影を行ったときや、反射率の高い被写体を撮影したときに、自動調光機能が働かずフル発光して主要被写体が露光オーバーとなるといった問題がある。これは、被写体から反射されてくるストロボ光の強度（光束）が大きいために、ストロボ発光開始と同時に充電が開始されるコンデンサ９１の充電電圧がサイリスタ９３をターンオンするのに必要な電圧に達する前に、コンデンサ８９の充電電圧が一定の大きさに達してＵＪＴ９０がオンとなってしまうためである。
【０００８】
本発明は上記問題点を解消するためになされたものであり、近距離撮影を行ったときのフル発光を防止して、露光オーバーの軽減を図ることができる自動調光機能を有したストロボ装置を提供することを目的とする。
【０００９】
【課題を解決するための手段】
上記目的を達成するために、請求項１記載のストロボ装置では、調光回路を、一定以上の電圧が印加されたときにオンとなってメインコンデンサからの電荷をストロボ放電管に代わって放電する無接点スイッチと、被写体で反射したストロボ光の反射光を受光して、受光した光強度に応じた光電電流を流す受光素子及びこの受光素子からの光電電流で充電されて、受光した反射光の光量を充電電圧に変換する第１のコンデンサを有する受光部と、第１のコンデンサが所定の充電電圧に達したときに発光停止信号を発生する発光停止信号発生手段と、ストロボ発光開始に連動して発生する動作電圧によって充電され、前記発光停止信号に応答して放電する第２のコンデンサを有し、この第２のコンデンサの放電により前記無接点スイッチをオンとするオン電圧を発生するオン電圧発生回路と、ストロボ発光開始から所定の時間だけ前記受光部の機能を停止または低下させる機能低下手段とを備えるようにしたものである。また、請求項２記載のストロボ装置では、無接点スイッチをサイリスタとしたものであり、請求項３記載のストロボ装置では、機能低下手段を、受光部と並列に接続され、抵抗を介して動作電圧で充電され、充電電圧を前記受光部の動作電圧として与えるコンデンサとしたものである。
【００１０】
請求項４記載のストロボ装置では、調光回路を、ストロボ発光開始に連動して動作電圧を発生する動作電圧発生部と、直列接続した機能低下用の抵抗とコンデンサとからなり、前記動作電圧発生部からの動作電圧が両端に印加される機能低下回路と、前記機能低下用のコンデンサの端子間電圧が印加されることにより、被写体で反射したストロボ光の反射光を受光して受光した光強度に応じた光電電流を流す受光素子及びこの受光素子からの光電電流で充電されて、受光した反射光の光量を充電電圧に変換する変換用コンデンサを有する受光部と、一定以上の電圧が印加されたときにオンとなってメインコンデンサからの電荷をストロボ放電管に代わって放電する無接点スイッチと、直列に接続されたオン電圧発生用の抵抗とコンデンサとからなり、前記前記動作電圧発生部からの動作電圧が両端に印加されることによりオン電圧発生用の抵抗を介してコンデンサが充電され、オン電圧発生用の抵抗を介してオン電圧発生用のコンデンサが放電することにより前記無接点スイッチをオンとするためのオン電圧をオン電圧発生用の抵抗の両端に発生するオン電圧発生回路と、前記変換用コンデンサが所定の充電電圧に達したときに、前記オン電圧発生用の抵抗を介して前記オン電圧発生用のコンデンサを放電させるスイッチ手段とを備えるようにしたものでる。また、請求項５記載のストロボ装置では、動作電圧発生部を、メインコンデンサの端子間に直列に接続された動作電圧発生用のコンデンサ，抵抗，ツェナダイオードから構成し、動作電圧発生用のコンデンサがメインコンデンサの充電とともに高電圧で充電されるとともに、ストロボ発光開始に連動してツェナダイオードに逆方向電流を流すことによってツェナダイオードの両端子間に動作電圧を発生するようにしたものであり、請求項６記載のストロボ装置では、ツェナダイオードの端子間にオン電圧発生手段と機能低下回路とのそれぞれを並列に接続し、スイッチ手段を、オンとなったときに前記ツェナダイオードの端子間を機能低下用の抵抗を介して接続し、オン電圧発生用のコンデンサを放電させるようにしたものである。
【００１１】
【発明の実施の形態】
ストロボ装置を内蔵したレンズ付きフイルムユニットの外観を図２に示す。レンズ付きフイルムユニットは、ユニット本体２と、このユニット本体２を部分的に覆うラベル３とから構成されており、ユニット本体２には各種の撮影機構が組み込まれるとともに、写真フイルムカートリッジが予め装填されている。また、このレンズ付きフイルムユニットは、自動調光機能を有したストロボ装置を備えている。
【００１２】
ユニット本体２の前面には、撮影レンズ４，ファインダ５の対物側窓５ａ，ストロボ光を被写体に向けて照射するストロボ装置のストロボ発光部７，ストロボ充電用の充電ボタン８，調光用の受光窓９が設けられている。また、ユニット本体２の上面には、シャッタボタン１０，残り撮影可能コマ数を表示するカウンタ窓１１が設けられている。さらに、背面には、１コマの撮影ごとに回転操作される巻上げノブ１４が露呈され、また対物側窓５ａに対面する位置にファインダ５の接眼側窓と充電完了を表示する確認窓が設けられている（図示省略）。ラベル３は、その裏面に接着剤が塗布されてユニット本体２の中央部分に貼付されており、各部に設けた開口から撮影レンズ４，ファインダ５，カウンタ窓１１等を外部に露呈させている。
【００１３】
充電ボタン８は、ストロボ装置のストロボスイッチに連動しており、これを押圧操作するとストロボスイッチがＯＮとなって充電が行われ、押圧操作を解除しても充電が継続される。そして、充電が完了すると自動的に充電が停止する。充電完了後に、シャッタボタン１０を押圧操作して撮影を行うと、この撮影に同期してストロボ発光部７よりストロボ光が被写体に向けて照射される。受光窓９の奥には、フォトトランジスタ２０（図１参照）が配されている。ストロボ発光時には、このフォトトランジスタ２０で被写体からの反射光を受光し、ストロボ光量を調節する。
【００１４】
ストロボ装置の回路構成を示す図３において、ストロボ装置は、昇圧回路２１，トリガ回路２２，メインコンデンサ２３，ストロボ放電管２４，調光回路２５，昇圧回路２１の電源となる電池２６等からなる。
【００１５】
昇圧回路２１は、ストロボスイッチ３０，発振トランジスタ３１，発振トランス３２，ラッチ用トランジスタ３３，停止用トランジスタ３４，整流用ダイオード３５，ツェナダイオード３６等から構成されている。発振トランジスタ３１と発振トランス３２は、メインコンデンサ２３を充電するために電池２６の低電圧を高電圧に変換する周知のブロッキング発振回路を構成している。
【００１６】
充電ボタン８を押圧操作によりストロボスイッチ３０がオンとなると、ブロッキング発振回路が動作を開始して、発振トランス３２の一次コイル３２ａに流れる一次側電流が増減される。この一次側電流の増減により、二次コイル３２ｂに交流の高電圧が発生する。整流用ダイオード３５は、二次コイル３２ｂに発生する交流を整流し出力する。
【００１７】
ラッチ用トランジスタ３３は、発振トランジスタ３１に流れるコレクタ電流がベース電流として与えられてオンとなる。ラッチ用トランジスタ３３は、オンとなると、電池２６からの電流を三次コイル３２ｃを介して発振トランジスタ３１のベース電流として与える。これにより、いったんストロボスイッチ３０がオンとされて、ブロッキング発振回路が動作を開始すると、充電ボタン８の押圧操作が解除されてストロボスイッチ３０をオフとした後にも、ラッチ用トランジスタ３３から発振トランジスタ３１にベース電流が供給されるため、ブロッキング発振回路が継続して動作する。
【００１８】
停止用トランジスタ３４及びツェナダイオード３６は、メインコンデンサ２３が予め決められた規定充電電圧、例えば３００Ｖまで充電されたときに発振トランジスタ３１を停止して充電を停止させる。ツェナダイオード３６は、メインコンデンサ３３が規定充電電圧まで充電されたときにツェナ電流（逆方向電流）を流す。停止用トランジスタ３４は、ツェナダイオード３６にツェナ電流が流れると、このツェナ電流によりオンとなって、発振トランジスタ３１のベース・エミッタ端子間を短絡して、発振トランジスタ３１を停止する。そして、この発振トランジスタ３１の停止にともないラッチ用コンデンサ３３がオフとなる。これにより、メインコンデンサ２３が規定充電電圧まで充電された時点で、ブロッキング発振回路の動作が停止して昇圧回路２１による充電が停止される。
【００１９】
昇圧回路２１の出力端子間、すなわち発振トランジスタ３１のエミッタ端子と整流用ダイオード３５のアノードとの間には、メインコンデンサ２３が接続されている。このメインコンデンサ２３は、昇圧回路２１からの出力電流で充電される。この充電の際に、メインコンデンサ２３は、発振トランジスタ３１側の端子の電位を一定にして、整流用ダイオード３５のアノード側の電位が低くなるようにしてマイナス充電される。
【００２０】
メインコンデンサ２３の端子間にストロボ放電管２４の各電極が直接に接続されている。ストロボ放電管２４は、ストロボ発光部７内に配されており、トリガ電極２４ａにトリガ電圧が印加されると電極間の絶縁が破れ、電極間でメインコンデンサ２３の電荷が放電することによってストロボ光を放出する。
【００２１】
トリガ回路２２は、トリガコンデンサ３７，シンクロスイッチ３８，トリガコイル３９から構成されている。トリガコンデンサ３７は、メインコンデンサ２３と同様に、昇圧回路２１からの出力電流で充電される。シンクロスイッチ３８は、シャッタ羽根の開閉に同期してオン，オフされる。シャッタ羽根が全開してシンクロスイッチ３８がオンとなると、充電されたトリガコンデンサ３７は、トリガコイル３９の一次側に放電電流を流す。トリガコイル３９は、一次側に放電電流が流れると、その二次側に例えば４ＫＶ程度のトリガ電圧を発生し、これをトリガ電極２４ａを介してストロボ放電管２４に印加する。これにより、シャッタ羽根が全開した瞬間にストロボ発光が開始される。
【００２２】
ネオン管４０は、メインコンデンサ２３が規定充電電圧まで充電されると点灯する。このネオン管４０は、ユニット本体２の背面側に設けられた確認窓を臨む位置に設けられており、撮影者は、確認窓を通して観察されるネオン管４０の点灯により充電完了を知ることができる。
【００２３】
図１に調光回路２５を示す。調光回路２５は、動作電圧発生回路５０，受光部５１，オン電圧発生回路５２，三端子型のサイリスタ（ＳＣＲ）５３，コンデンサ５４、スイッチングユニット６２等から構成されている。この調光回路２５は、メインコンデンサ２３に対してスロボ放電管２４と並列に接続されようにして、メインコンデンサ２３の両端子にだけ接続される構成となっているため、従来のストロボ装置に変更を加えることなく調光機能を付加することができる。
【００２４】
動作電圧発生回路５０は、メインコンデンサ２３の端子間に直列に接続されたコンデンサ５０ａ，抵抗５０ｂ，ツェナダイオード５０ｃとからなる。なお、ツェナダイオード５０ｃの接続方向は、そのカソードがメインコンデンサ２３の整流用ダイオード３５ａ側の端子に接続される向きである。
【００２５】
コンデンサ５０ａは、メインコンデンサ２３の充電時に昇圧回路２１からの出力電流で充電される。このコンデンサ５０ａは、ツェナダイオード５０ｃのアノード側の電位が低くなるようにして、メインコンデンサ２３と同じ充電電圧に充電される。メインコンデンサ２３がストロボ放電管２４を通して放電を開始すると、コンデンサ５０ａは、ストロボ放電管２４，ツェナダイオード５０ｃ，抵抗５０ｂを通して放電する。このときコンデンサ５０ａは、ツェナダイオード５０ｃにツェナ電流を流す向きで放電する。
【００２６】
ツェナダイオード５０ｃは、ツェナ電圧が例えば６Ｖ程度のものが用いられており、コンデンサ５０ａの放電中には、アノード・カソードの両端に、ツェナ電圧と同じ電圧を発生する。このときに発生する電圧は、ツェナダイオード５０ｃのカソード側の電位がアノード側のものより高くなる。調光回路２５は、このツェナダイオード５０ｃの両端に発生する電圧で動作する。
【００２７】
受光部５１は、フォトトランジスタ２０，コンデンサ６１等からなる。フォトトランジスタ２０は、そのコレクタ端子が抵抗６３を介してツェナダイオード５０ｃのカソードに接続されている。また、フォトトランジスタ２０のエミッタ端子とツェナダイオード５０ｃのアノードとの間には、抵抗６４，６５，コンデンサ６１が直列に接続されており、抵抗６４及び抵抗６５の接続点とツェナダイオード５０ｃのアノードとの間には、抵抗６６が接続されている。
【００２８】
フォトトランジスタ２０は、ユニット本体２の前面の受光窓９を臨む位置に配されており、被写体からの反射光を受光し、その受光強度に応じた光電電流を流す。コンデンサ６１は、フォトトランジスタ２０からの光電電流により充電され、その充電電圧が高くなる。すなわち、コンデンサ６１は、フォトトランジスタ２０で受光した被写体からの反射光の光量を電圧に変換する。なお、フォトトランジスタ２０の代わりに、フォトダイオード等を用いてもよい。
【００２９】
スイッチングユニット６２は、トランジスタ６２ａ，６２ｂからなり、トランジスタ６２ａのベース端子とトランジスタ６２ｂのコレクタ端子は、それぞれ抵抗６４及び抵抗６５の接続点に接続されている。また、トランジスタ６２ａのコレクタ端子とトランジスタ６２ｂのベース端子が接続され、トランジスタ６２ａのエミッタ端子がツェナダイオード５０ｃのアノードに接続されている。トランジスタ６２ｂのエミッタ端子は、抵抗６３を介してツェナダイオード５０ｃのカソードに接続されている。
【００３０】
このスイッチングユニット６２は、コンデンサ６１の充電電圧が所定の電圧Ｖａに達すると、トランジスタ６２ａとトランジスタ６２ｂがそれぞれオンとなって、スイッチングユニット６２自体がオンとなる。この例では、このスイッチングユニット６２のオンが発光停止信号となっている。なお、コンデンサ６２ｃは、スイッチングユニット６２が電気的なノイズでオンとなることを防止するために設けられている。
【００３１】
オン電圧発生回路５２は、直列に接続されたコンデンサ５２ａと抵抗５２ｂとからなり、コンデンサ５２ａの一端がツェナダイオード５０ｃのアノードに、抵抗５２ｂの一端がツェナダイオード５０ｃのカソードにそれぞれ接続されている。コンデンサ５２ａは、ツェナダイオード５０ｃの両端に発生する電圧により、抵抗５２ｂを介して電流が流れて充電される。そして、スイッチングユニット６２がオンとなると、コンデンサ５２ａは、抵抗５２ｂ，抵抗６３，スイッチングユニット６２を介して放電し、このときに抵抗５２ｂの端子間にサイリスタ５３をターンオンするためのゲート電圧を発生する。
【００３２】
サイリスタ５３は、抵抗５２ｂの両端にゲートとカソードが接続されおり、アノードがメインコンデンサ２３の発振トランジスタ３１のベース端子側の端子に抵抗７０を介して接続されている。すなわち、サイリスタ５３は、アノード・カソード間にメインコンデンサ２３の充電電圧が印加され、ゲート・カソード間にコンデンサ５２ａが放電したときに発生する抵抗５２ｂの端子間電圧が印加されるようになっている。
【００３３】
ところで、コンデンサ５２ａは、ツェナダイオード５０ｃの両端で発生する電圧によって充電されるが、抵抗５２ｂを介して充電されるため瞬間的に充電されるわけではない。また、サイリスタ５３をターンオンするためには、スイッチングユニット６２がオンとなって時点で、抵抗５２ｂの端子間にサイリスタ５３をターンオンするのに必要なゲート電圧が得られる充電電圧Ｖｂまでコンデンサ５２ａが充電されている必要がある。しかし、主要被写体までの撮影距離が短い場合や、被写体の反射率が高い場合には、被写体から反射されるストロボ光の強度が強いために、コンデンサ５２ａが充電電圧Ｖｂに達する前に、スイッチングユニット６２がオンとなることがある。
【００３４】
このような不都合を防止するために、この調光回路２５には、ストロボ発光開始直後からの所定の時間だけ、受光部５１の機能を低下させるコンデンサ５４が設けられている。コンデンサ５４は、抵抗６３及びフォトトランジスタ２０の接続点と、ツェナダイオード５０ｃのアノードとの間に接続されており、ツェナダイオード５０ｃの端子間に発生する電圧により抵抗６３を介して充電される。すなわち、コンデンサ５４は、受光部５１に対して並列に接続されており、コンデンサ５４の両端に発生する電圧（充電電圧）と等しい電圧が受光部５１の動作電圧となるようにされている。
【００３５】
コンデンサ５４の充電電圧は、ストロボ発光開始直後からが徐々に高くなり、所定の時間が経過後にはフル充電された状態となって、ツェナダイオード５０ｃの両端に発生している電圧、すなわち受光部５１を動作させるための本来の動作電圧となる。これにより、ストロボ発光開始直後から所定の時間が経過するまでは、受光回路５１に与える動作電圧が低くされて受光回路５１の機能が低下される。より具体的には、本来の動作電圧が受光部５１に与えられているときと比べて、フォトトランジスタ２０に流れる電流を少なくしてコンデンサ６２が所定の電圧Ｖａに達するまでの時間を遅延させるようにして受光部５１の機能を低下させ、コンデンサ５２ａがサイリスタ５３をターンオンするのに最低限必要な充電電圧Ｖｂまで充電されるようにしている。
【００３６】
なお、説明の便宜上、コンデンサ５４を設けてストロボ発光開始直後の所定時間だけ受光部５１の機能を低下させているとしているが、上記説明からも分かるように、実際には抵抗６３とコンデンサ５４とにより、受光部５１の機能低下を行っている。そして、受光部５１の機能を低下させる時間は、コンデンサ５４の静電容量と抵抗６３の抵抗値を調節することができ、サイリスタ５３をターンオンするのに必要なゲート電圧，コンデンサ５２ａの静電容量、抵抗５２ｂの抵抗値等に基づいて決められている。例えば、抵抗６３の抵抗値を大きくしていくと、機能を低下する時間を長くすることができる。だたし、抵抗６３は、コンデンサ５２ａが放電してサイリスタ５３のゲートを叩く電流を制限し、かつ抵抗５２ｂと抵抗６３でゲート電圧を制限しているため、これらも考慮して抵抗６３の抵抗値を十分に検討して選定する必要がある。
【００３７】
調光回路２５は、撮影距離にかかわらず、レンズ付きフイルムユニットの絞り値に対してほぼ適切なストロボ発光量が得られるように、コンデンサ５４による受光部５１の機能低下分を考慮して、フォトトランジスタ２０の感度、コンデンサ６１の静電容量が調節されているが、撮影距離が近い場合等では、実用上問題のないレベルであるが多少の露光オーバーとなる。
【００３８】
次に上記構成の作用について説明する。例えば、ストロボ撮影を行う場合には充電ボタン８を押圧操作する。この充電ボタン８の押圧操作をすぐに解除してよい。この押圧操作により、ストロボスイッチ３０がオンとなり、昇圧回路２１が動作を開始し、押圧操作を解除してストロボスイッチ３０がオフとなった後にも、動作は継続される。
【００３９】
昇圧回路２１の動作中では、これからの出力電流により、メインコデンサ２３，トリガコンデンサ３７，コンデンサ５０ａがそれぞれ充電される。メインコンデンサ２３が規定充電電圧まで充電されると、ツェナダイオード３６にツェナ電流が流れて停止用トランジスタ３４がオンとなる。これにより、昇圧回路２１が停止し、充電が停止する。
【００４０】
また、メインコンデンサ２３が規定充電電圧に達することによって、ネオン管４０が点灯する。撮影者は、このネオン管４０の点灯を確認したならば、ファインダ５を除いて構図を決めた後にシャッタボタン１０を押圧して撮影を行う。
【００４１】
シャッタボタン１０の押圧により、シャッタ羽根の開閉が行われる。そして、シャッタ羽根が全開した瞬間にシンクロスイッチ３８がオンとなってトリガコンデンサ３７が放電し、トリガコイル３９で発生したトリガ電圧がストロボ放電管２４に印加される。トリガ電圧の印加により、ストロボ放電管２４の電極間の絶縁が破れメインコンデンサ２３がストロボ放電管２４を通して放電する。これにより、ストロボ放電管３０によるストロボ発光が開始される。ストロボ放電管２４から放出されたストロボ光は、ストロボ発光部７より主要被写体に向けて照射される。
【００４２】
一方、このメインコンデンサ２３の放電開始と同時に、コンデンサ５０ａは、ストロボ放電管２４，ツェナダイオード５０ｃ，抵抗５０ｂを通して放電を開始し、ツェナダイオード５０ｃの両端に一定の電圧が発生する。ツェナダイオード５０ｃの両端に発生した電圧により、抵抗５２ｂを介して流れる電流でコンデンサ５２ａが充電され、コンデンサ５２ａの充電電圧が徐々に高くなる。
【００４３】
また、コンデンサ５４は、ツェナダイオード５０ｃの両端に発生する電圧で流れる電流により抵抗６３を介して充電され、その充電電圧が徐々に高くなり、所定の時間が経過してフル充電されるとツェナダイオード５０ｃの両端に発生する電圧と同じ電圧となる。
【００４４】
ストロボ光が主要被写体に照射され、その反射光の一部が受光窓９を通してフォトトランジスタ２０に入射する。フォトトランジスタ２０は、受光部５１に与えられている電圧、すなわちコンデンサ５４の充電電圧及び入射する反射光の強度に応じた大きさの光電電流を流す。受光部５１内のコンデンサ６１は、このフォトトランジスタ２０からの光電流で充電される。
【００４５】
しかし、受光部５１に与えられている動作電圧は、コンデンサ５３の充電電圧と同じであるから、仮に一定の強度の反射光がフォトタランジスタ２０に継続的に入射しても、フォトタランジスタ２０に流れる光電電流は、ストロボ発光開始直後から所定の時間が経過するまでは、コンデンサ５４の充電電圧に比例するようにして徐々に大きくなるように変化する。そして、コンデンサ５４の充電電圧がツェナダイオード５０ｃの両端の電圧と等しくなったときに、受光回路５１の機能低下が解消されて一定の光電電流が流れる。なお、実際には、ストロボ光の照射強度が時間の経過とともに変化するので、フォトタランジスタ２０に入射する反射光の強度も変化し、これに応じて光電電流の大きさも変化する。
【００４６】
コンデンサ６１の充電電圧が所定の電圧Ｖａに達すると、スイッチングユニット６２がオンとなる。スイッチングユニット６２がオンとなると、コンデンサ５２ａが、抵抗５２ｂ，抵抗６３，スイッチングユニット６２を通して放電し、このときに抵抗５２ｂの両端に発生する電圧がサイリスタ５２のゲート電圧として与えられる。
【００４７】
主要被写体までの距離が近いとき等では、フォトトランジスタ２０に入射する反射光の強度が大きくなる。このときに、例えばコンデンサ５４を設けていない場合では、フォトトランジスタ２０からの光電電流が大きくなるから、図４に二点鎖線で示すように、コンデンサ５２ａが所定の電圧Ｖｂに達する前に、コンデンサ６１の充電電圧は所定の電圧Ｖａまで充電されてしまう。そして、コンデンサ６１の充電電圧が電圧Ｖａとなりスイッチングユニット６２がオンとなって、コンデンサ５２ａが放電しても、抵抗５２ｂの端子間にサイリスタ５３をターンオンするのに必要なゲート電圧を得ることができない。したがって、この場合には、サイリスタ５３はターンオンすることがないから、ストロボ放電管２４はメインコデンサ２３の充電電圧が放電維持電圧を下回るまで発光を継続する。すなわち、ストロボがフル発光してしまい、主要被写体が過度の露光オーバーとなってしまう。
【００４８】
しかしながら、本発明のストロボ装置では、上記のようにコンデンサ５４を設け、ストロボ発光開始直後の所定の時間だけ受光部５１の機能を低下しており、すなわちフォトトランジスタ２０にかかる電圧を抑えているので、主要被写体までの距離が近いときや主要被写体の反射率が高いときでも、図４に実線で示すように、コンデンサ６１は、充電電圧がゆっくりと上昇し、コンデンサ５２ａがサイリスタ５３をターンオンするのに必要な所定の電圧Ｖｂに達した後に、トランジスタ６２ａをオンとする所定の電圧Ｖａにコンデンサ６１が達することになる。したがって、コンデンサ６１の充電電圧が電圧Ｖａに達してスイッチングユニット６２がオンとなり、コンデンサ５２ａが放電すると、抵抗５２ｂの端子間にサイリスタ５３をターンオンするのに必要なゲート電圧が発生する。
【００４９】
このゲート電圧の印加によりサイリスタ５３は、ターンオンし、そのアノード・カソードを導通する。サイリスタ５３の導通により、メインコンデンサ２３は、ストロボ放電管２４よりもインピーダンスが低いサイリスタ５３を通して放電するようになり、ストロボ放電管２４は、その電極間電圧が放電維持電圧を下回ってストロボ放電管２４によるメインコデンサ２３の放電が停止して、ストロボ発光が停止する。メインコンデンサ２４の充電電圧が所定の電圧まで低下するとサイリスタ５３がターンオフする。
【００５０】
結果として、主要被写体までの距離が近いときや主要被写体の反射率が高い場合でも、ストロボがフル発光することが防止される。そして、レンズ付きフイルムユニットに設定されている絞り値に対して適正となるストロボ光量よりも多いストロボ光が主要被写体に照射されるが、その量は僅かに多くなるだけであるから、主要被写体は、適正露光量に対して僅かにに露光オーバーとなるだけである。したがって、ストロボ光で照明された主要被写体をプリント写真上に適切な濃度に再現することができると同時に、ストロボ光の照明効果がなく室内の光源を光源とするような背景についても適度な明るさで再現することができる。もちろん、主要被写体までの距離が長い場合等では、主要被写体に対して適正なストロボ光量を照射することができる。
【００５１】
上記に説明したストロボ装置のメインコンデンサを充電するための回路，トリガ回路の構成は一例であり、メインコンデンサの端子間にストロボ放電管の各電極が直接に接続されているものであれば、メインコンデンサを充電するための回路やトリガ回路の構成はどのようなものであってものよい。また、無接点スイッチとしてサイリスタを用いているが、機能的に同等のものであれば、その他の無接点スイッチを用いてもよい。
【００５２】
また、上記実施形態では、ストロボ発光開始直後から所定の間だけ受光回路の機能を低下させているが、ストロボ発光開始直後から所定の間だけ受光回路の機能を停止するようにしてもよい。さらに、上記実施形態では、レンズ付きフイルムユニットに本発明のストロボ装置に適用した例について説明したが、本発明のストロボ装置は、カメラに内蔵されるストロボ装置や、カメラに装着されて利用されるストロボ装置にも利用できる。
【００５３】
【発明の効果】
以上に述べたように、本発明によれば、ストロボ発光開始によって発生する動作電圧で第２のコンデンサを充電し、被写体から反射されてくる反射光の受光量が所定のレベルに達したときに第２のコンデンサを放電させ、このときに発生する電圧でストロボ発光を停止させるための無接点スイッチをオンとするようにした際に、ストロボ発光開始から所定の時間だけ受光部の機能を停止または低下させるようにしたから、撮影距離が近いときや反射率の高い被写体を撮影する場合においても、無接点スイッチをオンとするのに必要な電圧まで第２のコンデンサが充電されて第２のコンデンサが放電するので、ストロボのフル発光を防止でき、露光オーバーを軽減できる。
【図面の簡単な説明】
【図１】本発明のストロボ装置の調光回路を示す回路図である。
【図２】本発明を実施したレンズ付きフイルムユニットの外観を示す斜視図である。
【図３】昇圧回路とトリガ回路を示す回路図である。
【図４】調光回路の動作を説明する波形図である。
【図５】従来の調光回路を示す回路図である。
【符号の説明】
７  ストロボ発光部
９  受光窓
２０  フォトトランジスタ
２３  メインコンデンサ
２４  ストロボ放電管
５０  動作電圧発生回路
５１  受光部
５２  オン電圧発生回路
５２ａ，５４，６１  コンデンサ
５２ｂ，６３  抵抗
５３  サイリスタ
６２  スイッチングユニット
【図１】
0003947325.tif 000002
【図２】
0003947325.tif 000003
【図３】
0003947325.tif 000004
【図４】
0003947325.tif 000005
【図５】
0003947325.tif 000006